(57)【要約】【課題】旧タイプのレンズが装着された場合に露出確認が可能なカメラを提供する。【解決手段】本発明の撮影装置は、撮影レンズを通して被写体の画像を撮像する撮像部（１０２）と、撮像部（１０２）の出力信号に基づき、撮像された画像及び画像の輝度分布に関するヒストグラムを表示可能な表示部（１０９）と、表示部（１０９）にヒストグラムを画像と共に表示するか否かを設定可能なヒストグラム表示設定部（１０１）と、レンズ情報を送信可能な撮影レンズが装着された場合にレンズ情報を受信することにより撮影レンズが装着されたことを認識する撮影レンズ検出部（１１２）と、を備え、撮影レンズ検出部（１１２）が撮影レンズの装着を未認識の状態で撮像部（１０２）にて撮像した画像を表示部（１０９）に表示する場合に、ヒストグラム表示設定部（１０１）の設定内容に関わらず、ヒストグラムを画像と共に表示することを特徴とする。【選択図】図２
2009021825.tif 000002
【特許請求の範囲】
【請求項１】
撮影レンズを通して被写体の画像を撮像する撮像部と、
該撮像部の出力信号に基づいて、撮像された画像及び該画像の輝度分布に関するヒストグラムを表示可能な表示部と、
該表示部に、前記ヒストグラムを前記画像と共に表示するか否かを設定可能なヒストグラム表示設定部と、
レンズ情報を送信可能な撮影レンズが装着された場合に、前記レンズ情報を受信することにより前記撮影レンズが装着されたことを認識する撮影レンズ検出部と、
を備える撮影装置であって、
前記撮影レンズ検出部が前記撮影レンズの装着を未認識の状態で、前記撮像部にて撮像した前記画像を前記表示部に表示する場合に、前記ヒストグラム表示設定部の設定内容に関わらず、前記ヒストグラムを前記画像と共に表示することを特徴とする撮影装置。
【請求項２】
請求項１に記載の撮影装置であって、
前記レンズ情報が前記撮影レンズの絞り情報を含むことを特徴とする撮影装置。
【請求項３】
撮影レンズを通して被写体の画像を撮像する撮像部と、
該撮像部の出力信号に基づいて、撮像された画像及び該画像の輝度分布に関するヒストグラムを表示可能な表示部と、
該表示部に、前記ヒストグラムを前記画像と共に表示するか否かを設定可能なヒストグラム表示設定部と、
手動で設定したシャッタ速度及び手動で設定した絞り値にて撮影を行うマニュアル露出モードを選択可能な露出モード選択部と、
を備える撮影装置であって、
前記露出モード選択部にて前記マニュアル露出モードが選択された状態で前記撮像部にて撮像した前記画像を前記表示部に表示する場合に、前記ヒストグラム表示設定部の設定内容に関わらず、前記ヒストグラムを前記画像と共に表示することを特徴とする撮影装置。
【請求項４】
請求項１〜３のいずれか１項に記載の撮影装置であって、
前記ヒストグラム表示設定部の設定内容に関わらない前記ヒストグラムの表示を、撮影直後の再生時及び再生指示に基づく再生時の少なくとも一方で行うことを特徴とする撮影装置。
【請求項５】
請求項４に記載の撮影装置であって、
前記画像が再生された後に前記ヒストグラム表示設定部が操作された場合には、
その操作に応じてヒストグラムの表示を行うことを特徴とする撮影装置。
【請求項６】
撮影レンズを通して被写体の画像を撮像する撮像部と、
該撮像部の出力信号に基づいて、撮像された画像及び該画像の輝度分布に関するヒストグラムを表示可能な表示部と、
該表示部に、前記ヒストグラムを前記画像と共に表示するか否かを設定可能なヒストグラム表示設定部と、
レンズ情報を送信可能な撮影レンズが装着された場合に、前記レンズ情報を受信することにより前記撮影レンズが装着されたことを認識する撮影レンズ検出部と、
を備える撮影装置において、
前記撮影レンズ検出部が前記撮影レンズの装着を未認識の状態で、前記撮像部にて撮像した前記画像を前記表示部に表示する場合に、前記ヒストグラム表示設定部の設定内容に関わらず、前記ヒストグラムを前記画像と共に表示することを特徴とする画像表示方法。
【請求項７】
請求項６に記載の画像表示方法であって、
前記レンズ情報が前記撮影レンズの絞り情報を含むことを特徴とする画像表示方法。
【請求項８】
撮影レンズを通して被写体の画像を撮像する撮像部と、
該撮像部の出力信号に基づいて、撮像された画像及び該画像の輝度分布に関するヒストグラムを表示可能な表示部と、
該表示部に、前記ヒストグラムを前記画像と共に表示するか否かを設定可能なヒストグラム表示設定部と、
手動で設定したシャッタ速度及び手動で設定した絞り値にて撮影を行うマニュアル露出モードを選択可能な露出モード選択部と、
を備える撮影装置において、
前記露出モード選択部にて前記マニュアル露出モードが選択された状態で前記撮像部にて撮像した前記画像を前記表示部に表示する場合に、前記ヒストグラム表示設定部の設定内容に関わらず、前記ヒストグラムを前記画像と共に表示することを特徴とする画像表示方法。
【請求項９】
請求項６〜８のいずれか１項に記載の画像表示方法であって、
前記ヒストグラム表示設定部の設定内容に関わらない前記ヒストグラムの表示を、撮影直後の再生時及び再生指示に基づく再生時の少なくとも一方で行うことを特徴とする画像表示方法。
【発明の詳細な説明】
【技術分野】
【０００１】
本発明は、画像及びその画像のヒストグラムを、表示装置に表示可能なカメラ等の撮影装置及び画像表示方法に関する。
【背景技術】
【０００２】
近年、カメラに着脱可能な撮影レンズとして、レンズマウント近傍にカメラに対する信号伝達用の接点が設けられると共にＣＰＵを内蔵し、レンズ情報をカメラに出力可能な撮影レンズが開発されている（以下、新タイプのレンズという）。一方、そのような撮影レンズが開発される以前より、これらの接点及びＣＰＵを内蔵していないレンズが存在する（以下、旧タイプのレンズという）。そして、これらの新タイプのレンズと旧タイプのレンズとの両方が装着可能なレンズマウントを有するカメラが存在する（たとえば特許文献１参照）。
【特許文献１】特開２００４−４８０８９号公報
【発明の開示】
【発明が解決しようとする課題】
【０００３】
しかし、上述のカメラでは、旧タイプのレンズをカメラのレンズマウントに装着した場合、カメラへレンズ情報が伝達できず、カメラ単独では設定した露出が適正露出であるか否かの判断ができない。
【０００４】
本発明の目的は、旧タイプのレンズが装着された場合に露出確認が可能なカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、撮影レンズを通して被写体の画像を撮像する撮像部（１０２）と、該撮像部（１０２）の出力信号に基づいて、撮像された画像及び該画像の輝度分布に関するヒストグラムを表示可能な表示部（１０９）と、該表示部（１０９）に、前記ヒストグラムを前記画像と共に表示するか否かを設定可能なヒストグラム表示設定部（１０１）と、レンズ情報を送信可能な撮影レンズが装着された場合に、前記レンズ情報を受信することにより前記撮影レンズが装着されたことを認識する撮影レンズ検出部（１１２）と、を備える撮影装置（１）であって、前記撮影レンズ検出部（１１２）が前記撮影レンズの装着を未認識の状態で、前記撮像部（１０２）にて撮像した前記画像を前記表示部（１０９）に表示する場合に、前記ヒストグラム表示設定部（１０１）の設定内容に関わらず、前記ヒストグラムを前記画像と共に表示することを特徴とする撮影装置（１）である。
請求項２に記載の発明は、請求項１に記載の撮影装置（１）であって、前記レンズ情報が前記撮影レンズの絞り情報を含むことを特徴とする撮影装置（１）である。
請求項３に記載の発明は、撮影レンズを通して被写体の画像を撮像する撮像部（１０２）と、該撮像部（１０２）の出力信号に基づいて、撮像された画像及び該画像の輝度分布に関するヒストグラムを表示可能な表示部（１０９）と、該表示部（１０９）に、前記ヒストグラムを前記画像と共に表示するか否かを設定可能なヒストグラム表示設定部（１０１）と、手動で設定したシャッタ速度及び手動で設定した絞り値にて撮影を行うマニュアル露出モードを選択可能な露出モード選択部（１１０）と、を備える撮影装置（１）であって、前記露出モード選択部（１１０）にて前記マニュアル露出モードが選択された状態で前記撮像部（１０２）にて撮像した前記画像を前記表示部（１０９）に表示する場合に、前記ヒストグラム表示設定部（１０１）の設定内容に関わらず、前記ヒストグラムを前記画像と共に表示することを特徴とする撮影装置（１）である。
請求項４に記載の発明は、請求項１〜３のいずれか１項に記載の撮影装置（１）であって、前記ヒストグラム表示設定部（１０１）の設定内容に関わらない前記ヒストグラムの表示を、撮影直後の再生時及び再生指示に基づく再生時の少なくとも一方で行うことを特徴とする撮影装置（１）である。
請求項５に記載の発明は、請求項４に記載の撮影装置（１）であって、前記画像が再生された後に前記ヒストグラム表示設定部（１０１）が操作された場合には、その操作に応じてヒストグラムの表示を行うことを特徴とする撮影装置（１）である。
請求項６に記載の発明は、撮影レンズを通して被写体の画像を撮像する撮像部（１０２）と、該撮像部（１０２）の出力信号に基づいて、撮像された画像及び該画像の輝度分布に関するヒストグラムを表示可能な表示部（１０９）と、該表示部（１０９）に、前記ヒストグラムを前記画像と共に表示するか否かを設定可能なヒストグラム表示設定部（１０１）と、レンズ情報を送信可能な撮影レンズが装着された場合に、前記レンズ情報を受信することにより前記撮影レンズが装着されたことを認識する撮影レンズ検出部（１１２）と、を備える撮影装置（１）において、前記撮影レンズ検出部（１１２）が前記撮影レンズの装着を未認識の状態で、前記撮像部（１０２）にて撮像した前記画像を前記表示部（１０９）に表示する場合に、前記ヒストグラム表示設定部（１０１）の設定内容に関わらず、前記ヒストグラムを前記画像と共に表示することを特徴とする画像表示方法である。
請求項７に記載の発明は、請求項６に記載の画像表示方法であって、前記レンズ情報が前記撮影レンズの絞り情報を含むことを特徴とする画像表示方法である。
請求項８に記載の発明は、撮影レンズを通して被写体の画像を撮像する撮像部（１０２）と、該撮像部（１０２）の出力信号に基づいて、撮像された画像及び該画像の輝度分布に関するヒストグラムを表示可能な表示部（１０９）と、該表示部（１０９）に、前記ヒストグラムを前記画像と共に表示するか否かを設定可能なヒストグラム表示設定部（１０１）と、手動で設定したシャッタ速度及び手動で設定した絞り値にて撮影を行うマニュアル露出モードを選択可能な露出モード選択部（１１０）と、を備える撮影装置（１）において、前記露出モード選択部（１１０）にて前記マニュアル露出モードが選択された状態で前記撮像部（１０２）にて撮像した前記画像を前記表示部（１０９）に表示する場合に、前記ヒストグラム表示設定部（１０１）の設定内容に関わらず、前記ヒストグラムを前記画像と共に表示することを特徴とする画像表示方法である。
請求項９に記載の発明は、請求項６〜８のいずれか１項に記載の画像表示方法であって、前記ヒストグラム表示設定部（１０１）の設定内容に関わらない前記ヒストグラムの表示を、撮影直後の再生時及び再生指示に基づく再生時の少なくとも一方で行うことを特徴とする画像表示方法である。
なお、符号を付して説明した構成は、適宜改良してもよく、また、少なくとも一部を他の構成物に代替してもよい。
【発明の効果】
【０００７】
本発明によれば、旧タイプのレンズが装着された場合に露出確認が可能となる。
【発明を実施するための最良の形態】
【０００８】
以下、図面等を参照して、本発明の実施形態について説明する。図１は、本実施形態による、レンズ交換可能なデジタル式カメラ１、及びカメラ１に装着される撮影レンズ１０，２０を示した図である。カメラ１は、制御回路１０１を内臓すると共にレンズマウント２近傍にレンズ情報検出装置１１２を備える。また、撮影レンズ１０は、信号伝達用の接点１１が設けられると共に制御回路（ＣＰＵ）１２を内蔵する撮影レンズ（新タイプのレンズ）であり、撮影レンズ２０は、カメラ１に対する接点及びＣＰＵを内蔵していない撮影レンズ（旧タイプのレンズ）である。そしてこれらの撮影レンズ１０，２０はカメラ１に対して装着可能である。
【０００９】
（カメラの構成）
図２は、本実施形態によるデジタル式カメラ１の構成を示すブロック図である。カメラ１は、マイクロコンピュータなどによって構成される上述の制御回路１０１を備える。この制御回路１０１は、後述される各種スイッチＳＷ１〜ＳＷ８から出力される信号を入力して所定の演算を行い、演算結果に基づいて制御信号を、後述するカメラ１の各駆動機構に出力する。なお、この制御回路１０１には不図示の電池により電源が供給される。
【００１０】
また、カメラ１は、カメラボディ（図示せず）の上面、側面または背面に、半押しスイッチＳＷ１、全押し（レリーズ）スイッチＳＷ２、再生スイッチＳＷ３、ヒストグラムスイッチＳＷ４、メインコマンドダイヤル回転方向判別スイッチＳＷ５、メインコマンドダイヤル回転方向判別スイッチＳＷ６、サブコマンドダイヤル回転方向判別スイッチＳＷ７、及びサブコマンドダイヤル回転方向判別スイッチＳＷ８を備える。
【００１１】
半押しスイッチＳＷ１は、不図示のレリーズボタンを半押し位置まで押下する（半押し操作する）ことによりオンし、その後の不図示のレリーズボタンのさらなる押し込みでもオンを保持し、レリーズボタンの半押し操作を解除するとオフする。
全押しスイッチＳＷ２は、不図示のレリーズボタンを全押し位置まで押下する（全押し操作する）ことによりオンし、レリーズボタンの全押し操作を解除するとオフする。
再生スイッチＳＷ３は不図示の再生ボタンの押し込みによりオンし、押し込みの解除によりオフする。
ヒストグラムスイッチＳＷ４は、不図示のヒストグラムボタンの押し込みによりオンし、押し込みの解除によりオフする。
メインコマンドダイヤル回転方向判別スイッチＳＷ５、６は不図示のメインコマンドダイヤルの回転によりオン、オフするスイッチであり、不図示のメインコマンドダイヤルの回転方向の判別に使用する。この不図示のメインコマンドダイヤルの回転により、露出モードがシャッタ優先オートモードまたはマニュアルの場合にシャッタ速度を設定する。
サブコマンドダイヤル回転方向判別スイッチＳＷ７、８は不図示のサブコマンドダイヤルの回転によりオン、オフするスイッチであり、不図示のサブコマンドダイヤルの回転方向の判別に使用する。この不図示のサブコマンドダイヤルの回転により、露出モードが絞り優先オートモードまたはマニュアルの場合に絞り値を設定する。
【００１２】
カメラ１は更に、撮像素子１０２、Ａ／Ｄ変換回路１０３、タイミング回路１０４、画像処理回路１０５、バッファメモリ１０６、記録媒体１０７、表示駆動回路１０８、露出モード設定装置１１０、測光装置１１１、及び上述のレンズ情報検出装置１１２を備える。
【００１３】
撮像素子１０２は、例えば、公知のＣＣＤやＣＭＯＳであり、撮影レンズを透過した被写体光を受光して撮像して画像信号を出力する。この撮像素子１０２の感度は、たとえばｌＳＯ１００相当などの所定の感度ＳＶが設定される。
【００１４】
Ａ／Ｄ変換回路１０３は、撮像素子１０２から出力される蓄積電荷としてのアナログ画像信号に対してゲイン調整などの処理を行った後にデジタル信号に変換する。
タイミング回路１０４は、撮像素子１０２を駆動するタイミング信号及びＡ／Ｄ変換回路１０３に駆動するタイミング信号を出力する。
【００１５】
画像処理回路１０５は、例えば、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔｓ）などで構成される。そしてＡ／Ｄ変換回路１０３から出力されるデジタル信号の原画像データに対してホワイトバランス（ＷＢ）調整、輪郭補償、ガンマ補正などの画像処理を行い、後述の表示駆動回路１０８に画像信号を出力すると共に、前述のＡ／Ｄ変換回路１０３から出力されるデジタル信号の原画像データを後述のバッファメモリ１０６へ出力する。また原画像データを画像処理した後に所定の形式で圧縮する圧縮処理、圧縮されたデータを伸長する伸長処理などを行う。さらに圧縮処理後の画像データを後述の記録媒体１０７へ出力したり、圧縮画像データをもとの圧縮前の画像データに伸長したりする。
【００１６】
バッファメモリ１０６は、原画像データや圧縮処理後の圧縮画像データを一時的に格納するメモリする。このバッファメモリ１０６としては、ＳＲＡＭ（Ｓｔａｔｉｃ  Ｒａｎｄｏｍ  Ａｃｃｅｓｓ  Ｍｅｍｏｒｙ）、ＶＲＡＭ（Ｖｉｄｅｏ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などを用いることができる。
【００１７】
記録媒体１０７はフラッシュメモリなどから構成されるメモリカードなどであって、圧縮処理後の画像データを記録するものであり、カメラに対して着脱可能に構成されている。
表示駆動回路１０８は、モニタＬＣＤ１０９を駆動し、入力した画像信号を出力して画像をモニタＬＣＤ１０９に表示する。
【００１８】
露出モード設定装置１１０は、たとえば露出モードダイヤルから構成され、この露出モードのダイヤルの回転により露出モードを選択する。周知のように露出モードには、プログラムオートモード（以下、Ｐモードという）、シャッタ優先オートモード（以下、Ｓモードという）、絞り優先オートモード（以下、Ａモードという）、マニュアルモード（以下、Ｍモードという）の４つのモードがあり、Ｍモードのときに露出インジケータにより設定露出値と適正露出値との差が表示される。
【００１９】
測光装置１１１は、ｌＣ（ｉｎｔｅｇｒａｔｅｄ  ｃｉｒｃｕｉｔ）から構成され、撮影レンズを透過したレンズ透過光量を検出する。
【００２０】
レンズ情報検出装置１１２は、新タイプのレンズ１０においてレンズマウント近傍に設けられたカメラ１に対する信号伝達用の接点１１と接続するカメラ側の接点及びインターフェイス回路から構成される。レンズ情報検出装置１１２により検出される情報は、撮影レンズの絞り情報を含む。
【００２１】
新レンズ１０が装着されると、レンズ内のＣＰＵ１２とカメラの制御回路１０１とが接点及びインターフェイス回路を介して電気的に接続され、レンズ１０からレンズ情報が制御回路１０１に転送される。一方、旧レンズ２０が装着されると、制御回路１０１がデータ転送可能状態にしてもデータの入力がないため、一定時間データがないことから旧レンズ装着またはレンズ非装着と判定可能となる。
【００２２】
カメラ１は更に、撮影条件表示装置１１３、シャッタ駆動回路１１４、シャッタ１１５、モータ駆動回路１１６、シーケンスモータ１１７、絞り位置検出装置１１８、及び絞り係止装置１１９を備える。
撮影条件表示装置１１３は、液晶などの表示素子とその駆動回路などから構成され、撮影動作モード、シャッタ速度、絞り値などを表示する。
【００２３】
シャッタ駆動回路１１４は、シャッタ１１５の先幕及び後幕の保持及びそれぞれの解除を制御する。なお、シャッタ１１５は後述するシーケンス駆動装置のミラーアップ途中でチャージの解除がなされるので、シーケンス駆動装置によるミラーアップ動作前にシャッタ１１５の先幕及び後幕の保持を行う必要がある。
【００２４】
モータ駆動回路１１６は、シーケンスモータ１１７の回転を制御する。シーケンスモータ１１７は、公知である不図示のシーケンス駆動装置に組み込まれ、このシーケンス駆動装置を駆動することによりミラーのアップ・ダウン、絞りの絞り込み・開放復帰、シャッタ１１５のチャージを行う。
【００２５】
なお、シーケンス駆動装置には、シーケンススイッチＳＷ９が配設されており、ミラーアップ動作開始直後からオフし、ミラーアップ完了直前からミラーアップ中にオンとなる。また、シーケンススイッチＳＷ９は、ミラーダウン開始直後からオフし、ミラーダウン直前からミラーダウン中オンとなる。こうしたタイミングでオン・オフするこのシーケンススイッチＳＷ９の状態により、シーケンスモータ１１７の駆動及びブレーキの制御を行うことでシーケンス駆動装置の動作を制御することが可能となる。すなわち、シーケンス駆動装置がミラーダウン状態でシーケンスモータ１１７が停止している状態では、シーケンススイッチＳＷ９はオン状態を保っている。
【００２６】
ミラーアップのためにシーケンスモータ１１７を正転すると、シーケンス駆動装置が作動して若干の時間遅れでシーケンススイッチＳＷ９がオフする。シーケンスモータ１１７の正転を継続するとシーケンス駆動装置の作動によりミラーアップ及び絞りの絞込みが行われる。さらにシーケンスモータ１１７の正転を継続すると、シーケンス駆動装置の作動によってミラーアップ完了の直後にシーケンススイッチＳＷ９がオンするので、ここでシーケンスモータ１１７のブレーキ制御を行ってシーケンスモータ１１７を停止してシーケンス駆動装置によるミラーアップ動作を停止する。
【００２７】
なお、絞りの絞込み動作は、ミラーアップ完了までには終了するようにシーケンス駆動装置が構成されている。一方、ミラーアップ状態ではシーケンススイッチＳＷ９はオン状態を維持している。ミラーダウンのためにシーケンスモータ１１７を逆転するとシーケンス駆動装置が作動して若干の時間遅れでシーケンススイッチＳＷ９がオフする。シーケンスモータ１１７の逆転を継続するとシーケンス駆動装置の作動によりミラーダウンが行われ、また絞りが係止されている場合には係止の解除がなされると共に絞りの開放への復帰が行われ、さらに後述のシャッタ駆動回路１１４のチャージが行われる。
【００２８】
さらに、シーケンスモータ１１７の逆転を継続するとシーケンス駆動装置の作動によってミラーダウン完了の直前にシーケンススイッチＳＷ９がオンするので、ここでシーケンスモータ１１７のブレーキ制御を行ってシーケンスモータ１１７を停止してシーケンス駆動装置によるミラーダウン動作を停止する。なお、絞りの開放復帰及びシャッタ１１５のチャージはミラーダウン完了までには終了するようにシーケンス駆動装置が構成されている。
【００２９】
絞り位置検出装置１１８は、シーケンス駆動装置により絞りが絞り込まれるときの絞りの位置をパルスとして検出して出力する。
絞り係止装置１１９は、この絞り係止装置１１９を作動させることにより絞りが係止されて絞りの絞込みが停止するようになっている。なお、この絞り係止装置１１９による絞りの係止はシーケンス駆動装置のミラーダウン途中に解除されるようにシーケンス駆動装置が構成されている。
【００３０】
（制御回路の動作）
次に、本実施形態の制御回路１０１の動作を説明する。図３〜図１４のフローチャートは制御回路の動作を示すものであり、図３，図４はメインルーチン、図５〜図１４はサブルーチンである。
【００３１】
（メインフロー図３の説明）
Ｓ１では、初期設定を行う。本実施形態では、初期設定とは、感度ＳＶが５、設定シャッタ速度ＴＶｓが７、設定絞り値ＡＶｓが５、表示フラグＤが０、ヒストグラム設定フラグＨＨが０、計時パラメータｔが０にセットされた状態をいう。
【００３２】
ここで、感度ＳＶは撮像素子１０２に設定される感度で、感度ＳＶが５とは、アペックス値で示される値であり、ＩＳＯ１００に相当する。
設定シャッタ速度ＴＶｓは露出モードがＳまたはＭの場合に不図示のメインコマンドダイヤルにて設定され、初期値としてアペックス値の７、すなわち１／１２５秒が設定される。設定シャッタ速度ＴＶｓは０〜１０、すなわち１秒〜１／１０００秒の範囲にて１段ステップで設定される。
設定絞り値ＡＶｓは露出モードがＡモードまたはＭモードの場合に不図示のサブコマンドダイヤルにて設定され、初期値としてアペックス値の５、すなわちＦ５．６が設定される。そして設定絞り値ＡＶｓはレンズ情報検出装置１１２によりカメラ１に装着されたレンズの情報、すなわち開放絞り値ＡＶＯと最小絞り値ＡＶＭの間の範囲で設定される。ここではアペックス値を用いて表示するものとする。
表示フラグＤはモニタＬＣＤ１０９にて画像を再生しているときに１となり、モニタＬＣＤ１０９が消灯しているときに０となるフラグである。
ヒストグラム設定フラグＨＨは、不図示のヒストグラムボタンの押し込みにより画像の輝度ヒストグラムをオーバーレイ表示する操作を行うと１になり、ヒストグラムをオーバーレイ表示させない操作を行うと０になるフラグである。なお、オーバーレイ表示とは、図１８に示すようにモニタＬＣＤ１０９の画像１０９ａ上に、輝度ヒストグラム１０９ｂを重ねて表示することをいう。なお輝度ヒストグラム１０９ｂをオーバーレイ表示しない場合には図１８からヒストグラム１０９ｂの表示を除いた、画像１０９ａだけの表示形態となる。
ｔは計時を行う際の計時パラメータである。
【００３３】
Ｓ２では、カメラに装着されたレンズとの通信を行う。レンズ通信の詳細を図５に示す。図５は、レンズ通信を説明するサブルーチンのフローチャートである。
【００３４】
（レンズ通信を説明するフローチャート図５の説明）
Ｓ５１では、レンズ通信が所定の時間以内に成立するかの判定のための計時用に、計時パラメータτを０にセットする。
Ｓ５２では、計時パラメータτによる計時を開始する。
Ｓ５３では、レンズと通信が成立、すなわち新レンズ装着か否かを判定する。通信成立の場合、Ｓ５６へ進む。通信が成立していない場合、Ｓ５４へ進む。
Ｓ５４では、計時パラメータτがレンズ非装着あるいは旧レンズ装着と判断できる所定の時間Ｔ０以上経過したか否かを判定する。所定の時間Ｔ０以上経過した場合は、レンズが装着されていないか、あるいは旧レンズが装着されていると判断してＳ５５へ進む。計時パラメータτが所定の時間Ｔ０未満の場合には、まだ通信成立判定途中と判断してＳ５３へ戻る。
Ｓ５５では、通信が成立していないのでフラグＬを０にセットしてＳ５８へ進む。なお、フラグＬは通信が成立すると１になり、成立しないと０になるフラグである。
Ｓ５６では、レンズからレンズデータとして開放絞り値ＡＶＯ、最小絞り値ＡＶＭを受信する。
Ｓ５７では、通信が成立したのでフラグＬに１をセットする。
Ｓ５８では、Ｓ５２にて開始した計時パラメータτによる計時を停止して図３へリターンする。
【００３５】
（メインフロー図３の説明に戻る）
Ｓ３では、フラグＬの判定を行う。フラグＬが１のときには新レンズ装着と判断してＳ４へ行き、０のときには旧レンズ装着あるいはレンズ非装着と判断して図４のＳ３１へ進む。
Ｓ４では、新レンズ装着時の設定処理を行う。設定処理の詳細を図６に示す。
【００３６】
（新レンズ装着時の設定処理を示すフローチャート図６の説明）
Ｓ６１では、露出モード設定装置１１０によって設定されている露出モードがＰモードか否かを判定する。Ｐモードと判定するとＳ６２へ行き、Ｐモードではないと判定するとＳ６３へ進む。
Ｓ６２では、露出モードパラメータＭを１にセットしてＳ６８へ進む。ここで露出モードパラメータＭはＰモードのとき１にセットされ、Ｓモードのとき２にセットされ、Ａモードのとき３にセットされ、Ｍモードのとき４にセットされるパラメータである。
【００３７】
Ｓ６３では、露出モード設定装置１１０によって設定されている露出モードがＳモードか否かを判定する。Ｓモードと判定するとＳ６４へ行き、Ｓモードではないと判定するとＳ６５へ進む。
Ｓ６４では、露出モードパラメータＭを２にセットしてＳ６８へ進む。
Ｓ６５では、露出モード設定装置１１０によって設定されている露出モードがＡモードか否かを判定する。Ａモードと判定するとＳ６６へ行き、Ａモードではないと判定するとＳ６７へ進む。
【００３８】
Ｓ６６では、露出モードパラメータＭを３にセットしてＳ６８へ進む。
Ｓ６７では、露出モードパラメータＭを４にセットしてＳ６８へ進む。
Ｓ６８では、露出モードパラメータＭの値が２か否かの判定を行う。露出モードパラメータＭの値が２、すなわちＳモードと判定すると、Ｓ７０へ行き、露出モードパラメータＭの値が２ではないと判定するとＳ６９へ進む。
Ｓ６９では、露出モードパラメータＭの値が４か否かの判定を行う。露出モードパラメータＭの値が４、すなわちＭモードと判定すると、Ｓ７０へ行き、露出モードパラメータＭの値が４ではないと判定するとＳ７８へ進む。
【００３９】
Ｓ７０では、メインコマンドダイヤル回転方向判別スイッチＳＷ５，６のオン、オフより不図示のメインコマンドダイヤルが反時計回転をしたか否かの判定を行う。メインコマンドダイヤルが反時計回転をしたと判定するとＳ７１へ行き、メインコマンドダイヤルが反時計回転しないと判定するとＳ７４へ進む。
Ｓ７１では、設定シャッタ速度ＴＶｓの値に１を加算した値を新たに設定シャッタ速度ＴＶｓの値に設定してＳ７２へ進む。
Ｓ７２では、設定シャッタ速度ＴＶｓが１０より大きいか否か、すなわち１／１０００秒より高速か否かの判定を行う。本実施形態のカメラ１では、シャッタ１１５のシャッタ速度を１秒〜１／１０００秒の範囲で制御可能であり、シャッタ速度の上限値は１／１０００秒であるので、ＴＶｓが１０より大きいと判定すると、設定シャッタ速度を１／１０００秒よりも高速設定できないと判断してＳ７３へ進む。ＴＶｓが１０以下の場合は、設定シャッタ速度は１／１０００秒以下なので設定可能と判断して図３へリターンする。
【００４０】
Ｓ７３では、設定シャッタ速度ＴＶｓの値を１０に設定、すなわちシャッタ速度を１／１０００秒にセットして図３へリターンする。
Ｓ７４では、ＳＷ５，６のオン、オフより不図示のメインコマンドダイヤルが時計回転をしたか否かの判定を行う。時計回転をしたと判定するとＳ７５へ行き、時計回転しないと判定するとＳ７８へ進む。
Ｓ７５では、設定シャッタ速度ＴＶｓの値から１を減算した値を新たに設定シャッタ速度ＴＶｓの値に設定してＳ７６へ進む。
【００４１】
Ｓ７６では、設定シャッタ速度ＴＶｓが０より小さいか否か、すなわち１秒より低速か否かの判定を行う。１秒がシャッタ速度の下限値であるので、ＴＶｓが０より小さいと判定すると、設定シャッタ速度を１秒よりも低速設定できないと判断してＳ７７へ進む。ＴＶｓが０以上の場合は、設定シャッタ速度は１秒以上なので設定可能と判断して図３へリターンする。
Ｓ７７では、設定シャッタ速度ＴＶｓの値を０に設定、すなわちシャッタ速度を１秒にセットして図３へリターンする。
Ｓ７８では、露出モードパラメータＭの値が３か否かの判定を行う。露出モードパラメータＭの値が３、すなわちＡモードと判定すると、Ｓ８０へ行き、露出モードパラメータＭの値が３ではないと判定するとＳ７９へ進む。
【００４２】
Ｓ７９では、露出モードパラメータＭの値が４か否かの判定を行う。露出モードパラメータＭの値が４、すなわちＭモードと判定すると、Ｓ８０へ行き、露出モードパラメータＭの値が４ではないと判定すると図３へリターンする。
Ｓ８０では、ＳＷ７，８のオン、オフより不図示のサブコマンドダイヤルが時計回転をしたか否かの判定を行う。時計回転をしたと判定するとＳ８１へ行き、時計回転しないと判定するとＳ８４へ進む。
Ｓ８１では、設定絞り値ＡＶｓの値に１を加算した値を新たに設定絞り値の値に設定してＳ８２へ進む。
【００４３】
Ｓ８２では、設定絞り値ＡＶｓが最小絞り値ＡＶＭの値より大きいか否か、すなわち設定絞り口径が最小絞りロ径よりも小さいか否かの判定を行う。設定絞り値ＡＶｓの値が最小絞り値ＡＶＭの値より大きい場合、設定絞りロ径が最小絞り口径より小さいので、設定できないと判断してＳ８３へ進む。設定絞り値ＡＶｓの値が最小絞り値ＡＶＭの値以下の場合は、図３へリターンする。
Ｓ８３では、設定絞り値ＡＶｓを最小絞り値ＡＶＭにセットし、図３へリターンする。
Ｓ８４では、ＳＷ７，８のオン、オフより不図示のサブコマンドダイヤルが反時計回転をしたか否かの判定を行う。反時計回転をしたと判定するとＳ８５へ行き、時計回転しないと判定すると図３へリターンする。
【００４４】
Ｓ８５では、設定絞り値ＡＶｓの値から１を減算した値を新たに設定絞り値の値に設定してＳ８６へ進む。
Ｓ８６では、設定絞り値ＡＶｓの値が開放絞り値ＡＶＯ未満か否か、すなわち設定絞り口径が最大口径より大きいか否かの判定を行う。設定絞り値ＡＶｓの値が開放絞り値ＡＶＯ未満の場合、設定絞りロ径が最大絞りロ径よりも大きいので、設定できないと判断してＳ８７へ進む。設定絞り値ＡＶｓの値が開放絞り値ＡＶＯ以下、すなわち設定絞り口径が最大ロ径以下の場合は図３へリターンする。
Ｓ８７では、設定絞り値ＡＶｓに開放絞り値ＡＶＯにセットし、図３へリターンする。
【００４５】
以上の設定処理においては、露出モード設定装置１１０による露出モードの設定によって不図示のメインコマンドダイヤルの回転によりシャッタ速度を、不図示のサブコマンドダイヤルの回転により絞り値を設定する。
【００４６】
（メインフロー図３の説明に戻る）
Ｓ５では、露出演算を行う。露出演算の詳細を図７に示す。図７は露出演算を示すフローチャートである。
【００４７】
（露出演算を示すフローチャート図７の説明）
Ｓ９１では、測光装置１１１により撮影レンズを透過した光量（ＢＶ−ＡＶＯ）を検出し、Ｓ２のレンズ通信にて得た開放絞り値ＡＶＯを加算することにより被写体輝度ＢＶを算出する。
Ｓ９２では、Ｓ９１にて算出した被写体輝度ＢＶに設定感度ＳＶを加算して適正露出となる露出値ＥＶを算出する。
Ｓ９３では、露出モードパラメータＭの値が１か否かの判定を行う。１すなわちＰモードと判定すると、Ｓ９４へ行き、１ではないと判定すると図８のＳ１１１へ進む。
【００４８】
Ｓ９４では、まず適正露出となる絞り値を演算するためにＳ９２にて算出した露出値ＥＶを２で除し、１を減算した値を制御絞り値ＡＶＣとし、Ｓ９５へ進む。
Ｓ９５では、制御絞り値ＡＶＣが開放絞り値ＡＶＯより小さいか否かの判定を行う。制御絞り値ＡＶＣが開放絞り値ＡＶＯより小さいと判定するとＳ９６へ行き、制御絞り値ＡＶＣが開放絞り値ＡＶＯ以上と判定するとＳ９７へ進む。
Ｓ９６では、制御絞り値ＡＶＣを開放絞り値ＡＶＯにセットしてＳ９９へ進む。
【００４９】
Ｓ９７では、制御絞り値ＡＶＣが最小絞り値ＡＶＭより大きいか否かの判定を行う。制御絞り値ＡＶＣが最小絞り値ＡＶＭより大きいと判定するとＳ９８へ行き、制御絞り値ＡＶＣが開放絞り値ＡＶＯ以下と判定するとＳ９９へ進む。
Ｓ９８では、制御絞り値ＡＶＣを最小絞り値ＡＶＭにセットしてＳ９９へ進む。
【００５０】
以上では、装着レンズの開放絞り値ＡＶＯから最小絞り値ＡＶＭまでが制御可能な絞り値であるので、この範囲となるように制御絞り値ＡＶＣを設定している。
【００５１】
Ｓ９９では、制御絞りパルス数ＰＣを絞り込み段数（ＡＶＣ−ＡＶＯ）の関数ｆとして算出する。すなわち、ＰＣ＝ｆ（ＡＶＣ−ＡＶＯ）とする。ここで、絞りの絞込み段数と絞り位置検出装置１１８の検出する検出絞りパルス数は基本的に比例関係であるが、絞り開放付近で出力される検出絞りパルス数が多くなることを考慮して絞込み段数（ＡＶＣ−ＡＶＯ）の関数としている。
【００５２】
Ｓ１００では、露出値ＥＶから制御絞り値ＡＶＣを減算した値を制御シャッタ速度ＴＶＣの値とする。
Ｓ１０１では、制御シャッタ速度ＴＶＣが０より小さいか否か、すなわちシャッタ速度が１秒より低速秒時か否かの判定を行う。制御シャッタ速度ＴＶＣが０より小さければＳ１０２へ行き、０以上であればＳ１０３へ進む。
Ｓ１０２では、制御シャッタ速度ＴＶＣを０にセットし、図３へリターンする。
【００５３】
Ｓ１０３では、制御シャッタ速度ＴＶＣが１０より大きいか否か、すなわちシャッタ速度が１／１０００秒より高速秒時か否の判定を行う。制御シャッタ速度ＴＶＣが１０より大きければＳ１０４へ行き、１０以下であれば図３へリターンする。
Ｓ１０４では、制御シャッタ速度ＴＶＣを１０にセットし、図３へリターンする。
【００５４】
以上では、シャッタ１１５のシャッタ速度を１秒〜１／１０００秒の範囲で制御可能となっているため、それを超える場合にはシャッタ速度の上限値１／１０００秒または下限値の１秒に制限するための処理をしている。
【００５５】
（図７から続くフローチャート図８の説明）
図８は図７から続くフローチャートである。以下、図８の説明を行う。
Ｓ１１１では、露出モードパラメータＭの値が２か否かの判定を行う。露出モードパラメータＭの値が２、すなわちＳモードと判定すると、Ｓ１１２へ行き、露出モードパラメータＭの値が２ではないと判定するとＳ１１８へ進む。
Ｓ１１２では、設定シャッタ速度ＴＶｓの値を制御シャッタ速度ＴＶＣの値にセットする。
【００５６】
Ｓ１１３では、露出値ＥＶから制御シャッタ速度ＴＶＣの値を減算した値を制御絞り値ＡＶＣの値とする。
Ｓ１１４では、制御絞り値ＡＶＣが開放絞り値ＡＶＯより小さいか否かの判定を行う。制御絞り値ＡＶＣが開放絞り値ＡＶＯより小さいと判定するとＳ１１５へ行き、制御絞り値ＡＶＣが開放絞り値ＡＶＯ以上と判定するとＳ１１６へ進む。
Ｓ１１５では、制御絞り値ＡＶＣを開放絞り値ＡＶＯにセットしてＳ１２８へ進む。
【００５７】
Ｓ１１６では、制御絞り値ＡＶＣが最小絞り値ＡＶＭより大きいか否かの判定を行う。制御絞り値ＡＶＣが最小絞り値ＡＶＭより大きいと判定するとＳ１１７へ行き、制御絞り値ＡＶＣが開放絞り値ＡＶＯ以下と判定するとＳ１２８へ進む。
Ｓ１１７では、制御絞り値ＡＶＣを最小絞り値ＡＶＭにセットしてＳ１２８へ進む。
【００５８】
以上では、装着レンズの開放絞り値ＡＶＯから最小絞り値ＡＶＭまでが制御可能な絞り値であるので、この範囲となるように制御絞り値ＡＶＣを設定している。
【００５９】
Ｓ１１８では、露出モードパラメータＭの値が３か否かの判定を行う。露出モードパラメータＭの値が３、すなわちＡモードと判定すると、Ｓ１１９へ行き、露出モードパラメータＭの値が３ではない、すなわち４と判定するとＭモードと判断してＳ１２５へ進む。
Ｓ１１９では、設定絞り値ＡＶｓの値を制御絞り値ＡＶＣの値にセットする。
Ｓ１２０では、露出値ＥＶから制御絞り値ＡＶＣの値を減算した値を制御シャッタ速度ＴＶＣの値とする。
【００６０】
Ｓ１２１では、制御シャッタ速度ＴＶＣが０より小さいか否か、すなわちシャッタ速度が１秒より低速秒時か否かの判定を行う。制御シャッタ速度ＴＶＣが０より小さければＳ１２２へ行き、０以上であればＳ１２３へ進む。
Ｓ１２２では、制御シャッタ速度ＴＶＣを０にセットし、Ｓ１２８へ進む。
Ｓ１２３では、制御シャッタ速度ＴＶＣが１０より大きいか否か、すなわちシャッタ速度が１／１０００秒より高速秒時か否かの判定を行う。制御シャッタ速度ＴＶＣが１０より大きければＳ１２４へ行き、１０以下であればＳ１２８へ進む。
【００６１】
Ｓ１２４では、制御シャッタ速度ＴＶＣを１０にセットし、Ｓ１２８へ進む。
以上では、制御シャッタ速度ＴＶＣを１秒から１／１０００秒の範囲内になるようにしている。
Ｓ１２５では、設定シャッタ速度ＴＶｓの値を制御シャッタ速度ＴＶＣの値にセットする。
Ｓ１２６では、設定絞り値ＡＶｓの値を制御絞り値ＡＶＣの値にセットする。
Ｓ１２７では、露出値ＥＶから制御シャッタ速度ＴＶＣの値及び制御絞り値ＡＶＣの値を減算した値を露出偏差△ＥＶの値とし、Ｓ１２８へ進む。
Ｓ１２８では、制御絞りパルス数ＰＣを絞り込み段数（ＡＶＣ−ＡＶＯ）の関数ｆとして算出し、図３へリタ一ンする。
【００６２】
（メインフロー図３の説明に戻る）
Ｓ６では、撮影条件の表示処理を行う。撮影条件の表示処理の詳細を図９に示す。図９は撮影条件の表示処理を示すフローチャートである。
【００６３】
（撮影条件の表示処理を示すフローチャート図９の説明）
Ｓ１３１では、露出モードパラメータＭの値が４か否かの判定を行う。露出モードパラメータＭの値が４、すなわちＭモードと判定すると、Ｓ１３２へ行き、露出モードパラメータＭの値が４ではないと判定するとＳ１３３へ進む。
Ｓ１３２では、制御シャッタ速度ＴＶＣ、制御絞り値ＡＶＣ、露出偏差△ＥＶを撮影条件表示装置１１３に表示して図３へリターンする。なお、設定シャッタ速度ＴＶｓはすでに図８のＳ１２５にて制御シャッタ速度ＴＶＣに置き換えられ、設定絞り値ＡＶｓはすでに図８のＳ１２６にて制御絞り値ＡＶＣに置き換えられているので、撮影条件表示装置１１３は、設定シャッタ速度ＴＶｓと設定絞り値ＡＶｓを表示していることになる。
【００６４】
Ｓ１３３では、制御シャッタ速度ＴＶＣと制御絞り値ＡＶＣを撮影条件表示装置１１３に表示して図３へリターンする。なお、Ｓモードの場合は、すでにＳ１１２にて設定シャッタ速度ＴＶｓを制御シャッタ速度ＴＶＣに置き換えているので、設定シャッタ速度ＴＶｓと制御絞り値ＡＶＣを表示していることになる。また、Ａモードの場合はすでに図８のＳ１１９にて設定絞り値ＡＶｓはすでに制御絞り値ＡＶＣに置き換えているので、撮影条件表示装置１１３は、制御シャッタ速度ＴＶＣと設定絞り値ＡＶｓを表示していることになる。
【００６５】
以上、撮影条件の表示処理は、Ｐモードでは制御シャッタ速度ＴＶＣと制御絞り値ＡＶＣを表示装置１１３に表示し、Ｓモードでは設定シャッタ速度ＴＶｓと制御絞り値ＡＶＣを表示装置１１３に表示し、Ａモードでは制御シャッタ速度ＴＶＣと設定絞り値ＡＶｓを表示装置１１３に表示し、Ｍモードでは設定シャッタ速度ＴＶｓと設定絞り値ＡＶｓを表示装置１１３に表示する。
【００６６】
（メインフロー図３の説明に戻る）
Ｓ７では、再生処理を行う。再生処理の詳細を図１０及び図１１に示す。図１０及び図１１は、再生処理を示すフローチャートである。
【００６７】
（再生処理を示すフローチャート図１０の説明）
Ｓ１４１では、表示フラグＤの判定を行う。１の場合はモニタＬＣＤ１０９による画像表示が行われていると判断してＳ１４２へ行き、０の場合はモニタＬＣＤ１０９による画像表示が行われていないと判断してＳ１５０へ進む。
【００６８】
Ｓ１４２では、再生スイッチＳＷ３のオン、オフにより不図示の再生ボタンが押下されているか否かの判定を行う。再生スイッチＳＷ３のオフにより不図示の再生ボタンが押下されていないと判定するとＳ１４３へ行き、再生スイッチＳＷ３のオンにより不図示の再生ボタンが押下されていると判定するとＳ１４５へ進む。
【００６９】
Ｓ１４３では、計時パラメータｔの計時時間が所定時間Ｔ以上であるかの判定を行う。計時パラメータｔが所定時間Ｔ以上であると判定すると、タイマー時間が経過したと判断してＳ１４４へ進む。また、計時パラメータｔが所定時間Ｔ未満と判定すると、タイマー時間は経過していないと判断して図１１のＳ１７１へ進む。なお、所定時間Ｔは撮影後や各ボタン操作後１０秒程度のタイマー時間である。
【００７０】
Ｓ１４４では、計時パラメータｔによる計時を停止する。
Ｓ１４５では、計時パラメータｔの値を０にセットする。
Ｓ１４６では、モニタＬＣＤ１０９による画像の再生を終了する。
Ｓ１４７では、モニタＬＣＤ１０９による画像の再生を終了したので表示フラグＤを０にセットする。
【００７１】
Ｓ１４８では、ヒストグラムフラグＨを０にセットする。ここで、ヒストグラムフラグＨは画像の輝度ヒストグラムを表示するときに１となり、輝度ヒストグラムを表示していないとき、またはモニタＬＣＤ１０９による画像の表示をしていないときに０となるフラグである。
Ｓ１４９では、モニタＬＣＤ１０９を消灯して図３へリターンする。
【００７２】
Ｓ１５０では、再生スイッチＳＷ３のオン、オフにより不図示の再生ボタンが押下されているか否かの判定を行う。再生スイッチＳＷ３のオンにより不図示の再生ボタンが押下されていると判定するとＳ１５１へ行き、再生スイッチＳＷ３のオフにより不図示の再生ボタンが押下されていないと判定するとＳ１６２へ進む。
【００７３】
Ｓ１５１では、再生すべき画像が後述の図１３のＳ２２０にてレンズ情報を付加した画像として記録された画像、あるいは記録媒体１０７がカメラに装着されていない場合バッファメモリ１０６に保存される画像が、レンズ情報を付加した画像であるかを判定する。画像にレンズ情報が付加されている場合にはＳ１５５へ行き、画像にレンズ情報が付加されていない場合にはＳ１５２へ進む。ここで、レンズデータの付加されていない画像は、後述のように旧レンズ２０で撮影された画像であるので、再生を開始するときは、まず輝度ヒストグラムをオーバーレイ表示した状態（図１８の状態）で再生して露出の確認が可能なようになっている。
【００７４】
Ｓ１５２では、再生すべき画像の輝度分布のヒストグラムを算出する。
Ｓ１５３では、画像及び画像にオーバーレイ表示されたヒストグラムをモニタＬＣＤ１０９に再生表示開始する。
Ｓ１５４では、ヒストグラムフラグＨを１にセットしてＳ１５８へ進む。ここで、ヒストグラムフラグＨはヒストグラムをオーバーレイ表示するときに１となり、ヒストグラムをオーバーレイ表示しない場合０となる。また、再生を終了するときに０となる。
【００７５】
Ｓ１５５では、ヒストグラム設定フラグＨＨの判定を行う。１の場合はヒストグラム表示が設定されているのでＳ１５２へ行き、０の場合はヒストグラム表示が設定されていないのでＳ１５６へ進む。
Ｓ１５６では、再生すべき画像のモニタＬＣＤ１０９への再生表示を開始する。このとき、ヒストグラムはオーバーレイ表示されていない。
Ｓ１５７では、ヒストグラムをオーバーレイ表示されていないのでヒストグラムフラグＨを０にセットしてＳ１５８へ進む。
【００７６】
Ｓ１５８では、モニタＬＣＤ１０９による画像の再生をＳ１５３またはＳ１５６によって開始したので表示フラグＤを１にセットする。
Ｓ１５９では、計時パラメータｔの計時時間が０か否かの判定を行う。０の場合、計時パラメータｔによる計時は開始していないと判断してＳ１６０へ進む。０以外の場合、計時パラメータｔによる計時は開始していると判断してＳ１６１へ進む。
Ｓ１６０では、計時パラメータｔによる計時を開始して図３へリターンする。
【００７７】
Ｓ１６１では、計時パラメータｔによる計時時間を０にセットして図３へリターンする。
Ｓ１６２では、計時パラメータｔの計時時間が所定時間Ｔ以上であるかの判定を行う。計時パラメータｔの計時時間が所定時間Ｔ以上であると判定すると、タイマー時間が経過したと判断してＳ１６３へ進む。また所定時間Ｔ未満と判定すると、タイマー時間は経過していないと判断して図３へリターンする。
Ｓ１６３では、計時パラメータｔによる計時を停止する。
Ｓ１６４では、計時パラメータｔの値を０にセットして図３へリターンする。
【００７８】
（図１０から続くフローチャート図１１の説明）
Ｓ１７１では、ヒストグラムスイッチＳＷ４のオン、オフにより不図示のヒストグラムボタンが押下されているか否かの判定を行う。ヒストグラムスイッチＳＷ４のオンにより不図示のヒストグラムボタンが押下されていると判定するとＳ１７２へ行き、ヒストグラムスイッチＳＷ４のオフにより不図示のヒストグラムボタンが押下されていないと判定すると図３へリターンする。
【００７９】
Ｓ１７２では、再生している画像がレンズ情報を付加した画像であるかを判定する。画像にレンズ情報が付加されている場合にはＳ１７９へ行き、画像にレンズ情報が付加されていない場合にはＳ１７３へ進む。
Ｓ１７３では、ヒストグラムフラグＨの判定を行う。ヒストグラムフラグＨが１の場合Ｓ１７４へ行き、ヒストグラムフラグＨが０の場合Ｓ１８０へ進む。
【００８０】
Ｓ１７４では、ヒストグラム設定フラグＨＨの判定を行う。ヒストグラム設定フラグＨＨが０の場合、ヒストグラムのオーバーレイ表示を設定していないと判断してＳ１７６へ進む。ヒストグラム設定フラグＨＨが１の場合、ヒストグラムのオーバーレイ表示を設定していると判断してＳ１７５へ進む。
Ｓ１７５では、ヒストグラム設定フラグＨＨを０にセットしてＳ１７６へ進む。
Ｓ１７６では、モニタＬＣＤ１０９へヒストグラムのオーバーレイ表示のない画像の再生表示を開始する。
【００８１】
Ｓ１７７では、ヒストグラムフラグＨを０にセットする。
Ｓ１７８では、計時パラメータｔの値を０にセットして図３へリターンする。
Ｓ１７９では、ヒストグラムフラグＨの判定を行う。ヒストグラムフラグＨが１の場合Ｓ１７５へ行き、ヒストグラムフラグＨが０の場合Ｓ１８０へ進む。
Ｓ１８０では、ヒストグラム設定フラグＨＨを１にセットしてＳ１８１へ進む。
【００８２】
Ｓ１８１では、画像の輝度分布のヒストグラムを算出する。
Ｓ１８２では、画像及び画像にオーバーレイ表示されたヒストグラムをモニタＬＣＤ１０９に再生表示開始する。
Ｓ１８３では、ヒストグラムフラグＨを１にセットしてＳ１７８へ進む。
【００８３】
以上の図１０，図１１に示す再生処理では、
１）モニタＬＣＤ１０９に画像再生中に不図示の再生ボタンを押下すると、画像再生を終了する。
２）モニタＬＣＤ１０９に画像再生中に計時時間が所定時間Ｔ以上になると、画像再生を終了する。
３）画像再生を行っていないときに再生ボタンを押すと、旧レンズ２０を装着して撮影した画像を再生する場合、ヒストグラムをオーバーレイ表示した画像の再生を開始する。新レンズ１０を装着して撮影した画像を再生する場合、「ヒストグラムのオーバーレイ表示をする」という設定の場合、ヒストグラムをオーバーレイ表示した画像の再生を開始する。「ヒストグラムのオーバーレイ表示をしない」という設定の場合、ヒストグラムをオーバーレイ表示しない画像の再生を開始する。
４）画像再生時にヒストグラムボタンを押下すると、ヒストグラムをオーバーレイ表示しているときにはヒストグラムのオーバーレイ表示をしなくなり、ヒストグラムをオーバーレイ表示していないときにはヒストグラムのオーバーレイ表示をするようになる。すなわち、画像再生時にヒストグラムボタンの押下によりヒストグラムのオーバーレイ表示をする、しないの設定が切り替わる。
ただし、旧レンズ２０で撮影した画像を再生した場合には、必ずヒストグラムのオーバーレイ表示をして再生する。このため、このときの設定が「ヒストグラムのオーバーレイ表示をしない」という設定になっていたとすると、この設定と実態（オーバーレイ表示しているという実態）とが喰い違っていることになる。そしてこの状態のときに、ヒストグラムボタンを押下するとヒストグラムのオーバーレイ表示をしなくなる。但し、このヒストグラムボタンの押下によって通常は切り替わる「オーバーレイ表示をする、しない」の設定を、この場合に関しては切り替えないように制御する。つまり、「ヒストグラムのオーバーレイ表示をしない」という設定はそのままの状態が保持される。
なお、これ以降になされるヒストグラムボタンへの操作では、ヒストグラムボタンの押下によりヒストグラムのオーバーレイ表示をする、しないの設定が切り替わる。
【００８４】
（メインフロー図３の説明に戻る）
Ｓ８では、半押しスイッチＳＷ１のオン、オフにより不図示のレリーズボタンを半押し位置まで押下しているか否かを判定する。半押しスイッチＳＷ１のオンにより不図示のレリーズボタンを半押し位置まで押下していると判定すると、Ｓ９へ進む。半押しスイッチＳＷ１のオフにより不図示のレリーズボタンを半押し位置まで押下していないと判定すると、Ｓ２へ戻る。
Ｓ９では、半押し処理を行う。半押し処理の詳細を図１２に示す。図１２は半押し処理を示すフローチャートである。
【００８５】
（半押し処理を示すフローチャート図１２の説明）
Ｓ１９１では、表示フラグＤの判定を行う。表示フラグＤが１の場合はモニタＬＣＤ１０９による画像表示が行われていると判断してＳ１９２へ行き、表示フラグＤが０の場合はモニタＬＣＤ１０９による画像表示が行われていないと判断してＳ１９７へ進む。
Ｓ１９２では、モニタＬＣＤ１０９による画像の再生を終了する。
【００８６】
Ｓ１９３では、モニタＬＣＤ１０９を消灯する。このＳ１９２、Ｓ１９３では、不図示のレリーズボタンを半押ししたので、撮影準備に入ったと判断する。このとき、一般的にデジタル一眼レフカメラでは、接眼部を覗いてファインダー像を確認するときに背面に配置されるモニタＬＣＤが点灯しているとまぶしいため、再生を終了してモニタＬＣＤを消灯している。
Ｓ１９４では、モニタＬＣＤ１０９による画像の再生を終了したので表示フラグＤを０にセットする。
【００８７】
Ｓ１９５では、再生を終了したのでヒストグラムフラグＨを０にセットする。
Ｓ１９６では、計時パラメータｔの値を０にセットして図３へリターンする。なお、計時は終了していないので、半押しによりタイマー時間が所定時間Ｔ分だけ延長される。
Ｓ１９７では、計時パラメータｔの計時時間が０か否かの判定を行う。計時パラメータｔの計時時間が０の場合、計時パラメータｔによる計時は開始していないと判断してＳ１９８へ進む。計時パラメータｔの計時時間が０以外の場合、計時パラメータｔによる計時は開始していると判断してＳ１９６へ進む。
【００８８】
Ｓ１９８では、計時パラメータｔによる計時を開始して図３へリターンする。以上の半押し処理では、不図示のレリーズボタンを半押しすると、タイマー時間を所定時間Ｔだけ延長すると共に画像の再生をしているときには画像の再生を終了してモニタＬＣＤを消灯するようになっている。
【００８９】
（メインフロー図３の説明に戻る）
Ｓ１０では、レリーズスイッチＳＷ２のオン、オフにより不図示のレリーズボタンを全押し位置まで押下しているか否かを判定する。レリーズスイッチＳＷ２のオンにより不図示のレリーズボタンを全押し位置まで押下していると判定すると、Ｓ１１へ進む。レリーズスイッチＳＷ２のオフにより不図示のレリーズボタンを全押し位置まで押下していないと判定すると、Ｓ２へ戻る。
Ｓ１１では、計時パラメータｔによる計時を停止する。
Ｓ１２では、計時パラメータｔの値を０にセットする。
Ｓ１３では、撮像シーケンスを実施する。これにより一連の撮影処理を行う。撮影処理の詳細を図１３に示す。図１３は撮影処理を示すフローチャートである。
【００９０】
（撮影処理を示すフローチャート図１３の説明）
Ｓ２０１では、シャッタ駆動回路１１４によりシャッタ１１５の不図示のマグネットに通電を行うことによりシャッタ１１５の先幕及び後幕の保持を行う。
Ｓ２０２では、モータ駆動回路１１６によりシーケンスモータ１１７の正転を開始させる。これによりミラーアップ、絞りの絞込みが開始される。
Ｓ２０３では、フラグＬの判定を行う。フラグＬが１の場合、新レンズ装着と判断してＳ２０４へ行き、フラグＬが０の場合、旧レンズ装着あるいはレンズ非装着と判断して、Ｓ２０４の絞りパルスの検出及びＳ２０５の絞り係止をスキップしてＳ２０６へ進む。
【００９１】
Ｓ２０４では、絞り位置検出装置１１８により検出絞りパルス数Ｐｋを検出し、前述のＳ５の露出演算にて算出した制御絞りパルス数ＰＣと比較し、検出絞りパルス数Ｐｋの値が制御絞りパルス数ＰＣの値になるまでＳ２０４にとどまり、検出絞りパルス数Ｐｋの値が制御絞りパルス数ＰＣの値以上になったことを検出するとＳ２０５へ進む。
Ｓ２０５では、絞り係止装置１１９を作動させて絞りを係止し、絞りの絞込みを停止させる。
【００９２】
Ｓ２０６では、シーケンススイッチＳＷ９の状態によりミラーアップが完了したか否かを判定する。ミラーアップと判断できるまでＳ２０６にとどまり、ミラーアップと判定するとＳ２０７へ進む。
Ｓ２０７では、モータ駆動回路１１６によりシーケンスモータ１１７の正転を停止する。なお、この停止処理の際には逆通電ブレーキやショートブレーキなどのブレーキ処理によりシーケンスモータ１１７の停止は瞬時に行われ、オーバーランは無視できる程度である。また、上記Ｓ２０６によりミラーアップと判定するまでには絞り係止装置１１９による絞りの係止が完了するようにシーケンス駆動装置は構成されるものとする。
【００９３】
Ｓ２０８では、ミラーアップのバウンドが安定するまで所定時間のウエイト（待機）を実施する。
Ｓ２０９では、撮像素子１０２の電荷蓄積を開始する。なお、シャッタ１１５の先幕の保持を解除していないので撮像素子１０２に撮影レンズを透過した光は到達していない。実際に撮像素子１０２に撮影レンズを透過した光が到達するのはシャッタ１１５の先幕の保持解除後にシャッタ１１５の先幕が走行して撮像素子１０２の遮光を解除したときからである。
【００９４】
Ｓ２１０では、シャッタ駆動回路１１４によりシャッタ１１５の不図示のマグネットの通電を解除してシャッタ１１５の先幕の保持を解除し、先幕の走行を開始させる。これにより撮像素子１０２に撮影レンズを透過した光が到達する。
【００９５】
Ｓ２１１では、Ｓ２１０にてシャッタ１１５の先幕の保持を解除してから制御シャッタ速度ＴＶＣに相当する時間経過後にシャッタ駆動回路１１４によりシャッタ１１５の不図示のマグネットの通電を解除してシャッタ１１５の後幕の保持を解除し、後幕の走行を開始させる。これにより制御シャッタ速度ＴＶＣの制御がなされる。
【００９６】
Ｓ２１２では、シャッタ１１５の後幕保持解除後、後幕が撮影画面を走行完了する時間だけウエイトする。これは、撮像素子１０２の画面がシャッタ１１５の後幕により完全に遮蔽されるまでは、電荷の蓄積を行ってシャッタ１１５の後幕によって遮蔽されていない撮像を継続する必要があるからである。
Ｓ２１３では、撮像素子１０２の電荷蓄積を終了する。
【００９７】
Ｓ２１４では、モータ駆動回路１１６によりシーケンスモータ１１７の逆転を開始する。これによりミラーダウン、絞りの開放復帰が開始される。
Ｓ２１５では、タイミング回路１０４により撮像素子１０２に蓄積された撮像信号はＡ／Ｄ変換回路１０３によりアナログ画像信号からデジタル信号に変換されて読出される。
Ｓ２１６では、ＡＳｌＣなどで構成される画像処理回路１０５によりホワイトバランス調整、輪郭補償、ガンマ補正などの画像処理を行う。
【００９８】
Ｓ２１７では、さらに画像処理回路１０５により原画像に圧縮処理を施した画像データをバッファメモリ１０６へ格納する。
Ｓ２１８では、記録媒体がある場合はＳ２１９へ進み、記録媒体がない場合はＳ２２２へ進む。
Ｓ２１９では、フラグＬの判定を行う。フラグＬが１の場合、新レンズ１０の装着と判断してＳ２２０へ行き、フラグＬが０の場合、旧レンズ２０の装着あるいはレンズ非装着と判断してＳ２２１へ進む。
【００９９】
Ｓ２２０では、新レンズ１０が装着されていると判断してＳ２のレンズ通信にて得たレンズ情報及び露出モード設定装置１１０によって設定された露出モードの情報と共に圧縮されてバッファメモリ１０６に格納された画像データをメモリカードなどの記録媒体１０７に記録してＳ２２２へ進む。
【０１００】
Ｓ２２１では、旧レンズ２０が装着されていると判断し、レンズ情報は得られていないので露出モード設定装置１１０によって設定された露出モードの情報と共に圧縮されてバッファメモリ１０６に格納された画像データをメモリカードなどの記録媒体１０７に記録してＳ２２２へ進む。
Ｓ２２２では、シーケンススイッチＳＷ９の状態によりミラーダウンが完了したか否かを判定する。ミラーダウンと判定するとＳ２２３へ行き、ミラーダウンでないと判定するとＳ２２２にとどまる。なお、バッファメモリ１０６に格納された画像データを記録媒体１０７に記録するには比較的時間がかかるが、本実施形態ではミラーダウン終了までにＳ２２０またはＳ２２１での記録は完了するものとする。
【０１０１】
Ｓ２２３では、ミラーダウン動作終了のためモータ駆動回路１１６によりシーケンスモータ１１７の逆転を停止する。なお、この停止処理の際には逆通電ブレーキやショートブレーキなどのブレーキ処理によりシーケンスモータ１１７の停止は瞬時に行われ、オーバーランは無視できる程度である。この後、図３へリターンする。
【０１０２】
（メインフロー図３の説明に戻る）
Ｓ１４では、計時パラメータｔによる計時を開始する。
【０１０３】
Ｓ１５では、Ｓ１３にて撮影した画像はレンズ情報付の画像か否かの判定を行う。レンズ情報付画像の場合には新レンズ１０の装着で撮影した画像と判断してＳ１６へ行き、レンズ情報付画像でない場合には旧レンズ２０の装着で撮影した画像と判断してＳ２０へ進む。
【０１０４】
Ｓ１６では、ヒストグラム設定フラグＨＨの判定を行う。ヒストグラム設定フラグＨＨが１の場合、ヒストグラムのオーバーレイ表示を設定していると判断してＳ２０へ行き、ヒストグラム設定フラグＨＨが０の場合、ヒストグラムのオーバーレイ表示を設定していないと判断してＳ１７へ進む。
【０１０５】
Ｓ１７では、Ｓ１３の撮像シーケンスにて撮影した画像をヒストグラムのオーバーレイ表示なしでモニタＬＣＤ１０９への再生を開始する。
Ｓ１８では、モニタＬＣＤ１０９による画像の再生を開始したので表示フラグＤを１にセットする。
Ｓ１９では、ヒストグラムのオーバーレイ表示をしていないのでヒストグラムフラグＨを０にセットしてＳ２へ戻る。
【０１０６】
Ｓ２０では、Ｓ１３の撮像シーケンスにて撮影した画像の輝度分布のヒストグラムを算出する。
Ｓ２１では、Ｓ１３の撮像シーケンスにて撮影した画像と共にその画像上に輝度ヒストグラムのオーバーレイ表示をしてモニタＬＣＤ１０９への再生を開始する。
Ｓ２２では、モニタＬＣＤ１０９による画像の再生を開始したので表示フラグＤを１にセットする。
Ｓ２３では、ヒストグラムのオーバーレイ表示をしているのでヒストグラムフラグＨを１にセットしてＳ２へ戻る。
【０１０７】
以上、Ｓ１３以降では、旧レンズ２０の装着で撮影した画像は、「ヒストグラムのオーバーレイ表示をする、しない」の設定に関らずヒストグラムのオーバーレイ表示をして再生して輝度のヒストグラムにより露出の確認ができるようになっている。一方、新レンズ１０を装着して撮影した画像は、「ヒストグラムのオーバーレイ表示をする」に設定をしている場合にはオーバーレイ表示を行い、「ヒストグラムのオーバーレイ表示をしない」に設定している場合にはヒストグラムのオーバーレイ表示をしないようになっている。
【０１０８】
（図３から続くフローチャートの説明）
Ｓ３１では、旧レンズ装着時の設定処理を行う。旧レンズ装着時の設定処理の詳細を図１４に示す。図１４は旧レンズ装着時の設定処理を示すフローチャートである。
【０１０９】
（旧レンズ装着時の設定処理を示すフローチャート図１４の説明）
Ｓ２３１〜Ｓ２３７は図６のＳ６１〜Ｓ６７と同様の処理である。Ｓ２３２，Ｓ２３４，Ｓ２３６，Ｓ２３７の後にＳ２３８へ進む。
【０１１０】
Ｓ２３８では、露出モードパラメータＭが４か否かの判定を行う。露出モードパラメータＭが４のときは露出モードがＭモードと判断してＳ２３９へ行き、露出モードパラメータＭが４以外のときは露出モードはＭモード以外と判断して図４へリターンする。
【０１１１】
Ｓ２３９〜Ｓ２４６は図６のＳ７０〜Ｓ７７と同様であり、Ｓ２４３を否定判定したときに図４へリターンする点が異なる。
【０１１２】
（メインフロー図４の説明）
Ｓ３２では、露出モードパラメータＭの値の判定を行う。露出モードパラメータＭが４の場合、露出モードが露出モード設定装置１１０によりＭモードに設定されていると判断してＳ３３へ行き、露出モードパラメータＭが４以外の場合、露出モードが露出モード設定装置１１０によりＭモード以外に設定されていると判断してＳ３５へ進む。
Ｓ３３では、設定シャッタ速度ＴＶｓの値を制御シャッタ速度ＴＶＣの値にセットする。
【０１１３】
Ｓ３４では、制御シャッタ速度ＴＶＣを表示装置１１３に表示する。なお、設定シャッタ速度ＴＶｓはＳ３３にて制御シャッタ速度ＴＶＣに置き換えられているので、設定シャッタ速度ＴＶｓを表示していることになる。
Ｓ３５では、表示装置１１３の絞り値表示部に“Ｆ−  −”を点滅表示してＳ３６へ進む。
Ｓ３６では、前述のＳ７と同様の再生処理をする。
【０１１４】
Ｓ３７では、半押しスイッチＳＷ１のオン、オフにより不図示のレリーズボタンを半押し位置まで押下しているか否かを判定する。半押しスイッチＳＷ１のオンにより不図示のレリーズボタンを半押し位置まで押下していると判定するとＳ３８へ進む。半押しスイッチＳＷ１のオフにより不図示のレリーズボタンを半押し位置まで押下していないと判定すると、図３のＳ２へ戻る。
Ｓ３８では、前述のＳ９と同様の半押し処理を行う。
【０１１５】
Ｓ３９では、露出モードパラメータＭの値の判定を行う。露出モードパラメータＭが４のときは露出モードが露出モード設定装置１１０によりＭモードに設定されていると判断してＳ４０へ行き、露出モードパラメータＭが４以外のときは露出モードが露出モード設定装置１１０によりＭモード以外に設定されていると判断してＳ２へ戻る。
Ｓ４０では、レリーズスイッチＳＷ２のオン、オフにより不図示のレリーズボタンを全押し位置まで押下しているか否かを判定する。レリーズスイッチＳＷ２のオンにより不図示のレリーズボタンを全押し位置まで押下していると判定すると、図３のＳ１１へ進む。レリーズスイッチＳＷ２のオフにより不図示のレリーズボタンを全押し位置まで押下していないと判定すると、図３のＳ２へ戻る。
【０１１６】
以上の実施形態では、旧タイプのレンズ２０を装着して撮影を行うと、「ヒストグラムのオーバーレイ表示をする、しない」の設定に関らずヒストグラムのオーバーレイ表示をして撮影後に再生するので輝度のヒストグラムにより露出の確認ができるようになっている。
【０１１７】
また、旧レンズ装着で撮影した画像を再生する操作を行うと、「ヒストグラムのオーバーレイ表示をする、しない」の設定に関らずヒストグラムのオーバーレイ表示をして再生して輝度のヒストグラムにより露出の確認ができるようになっている。さらに、その再生操作による再生中にヒストグラムボタンを操作することで、再生画像にオーバーレイ表示されているヒストグラムをオーバーレイ表示しないようにすることもできる。
【０１１８】
なお、新レンズ１０を装着して撮影を行うと、「ヒストグラムのオーバーレイ表示をする」という設定をした場合、ヒストグラムのオーバーレイ表示をする再生になる。また、「ヒストグラムのオーバーレイ表示をしない」という設定の場合、ヒストグラムのオーバーレイ表示をしない再生になるので、好みに応じて、ヒストグラムのオーバーレイ表示をしたりしなかったりすることができる。
【０１１９】
（変形形態）
（１）変形形態について説明する。変形形態では、図１５は、図３における１５のレンズ情報付画像か否かの判断を、Ｍモード撮影画像か否かの判断Ｓ１５’に変更したもので、図１６は、図１０のＳ１５１のレンズ情報付画像か否かの判断を、Ｍモード撮影画像か否かの判断Ｓ１５１’に変更したもので、図１７は、図１１のレンズ情報付画像か否かの判断を、Ｍモード撮影画像か否かの判断Ｓ１７２’に変更したものである。
【０１２０】
この変更により、マニュアル露出モードで撮影を行うと、「ヒストグラムのオーバーレイ表示をする、しない」の設定に関らずヒストグラムのオーバーレイを表示して撮影後に再生するので輝度のヒストグラムにより露出の確認ができる。また、マニュアル露出モードで撮影した画像を再生する操作を行うと、「ヒストグラムのオーバーレイ表示をする、しない」の設定に関らずヒストグラムのオーバーレイ表示をして再生して輝度のヒストグラムにより露出の確認ができる。
（２）上記実施形態では、図１８に示すようにヒストグラムを画像にオーバーレイ表示する形態について説明したが、本発明はこれに限定されない。たとえば、図１９に示すようにモニタＬＣＤ１０９においてヒストグラム１０９ｂと画像１０９ａとを別の枠内に表示することもできる。要は、ヒストグラムを表示する際に図１８にしても図１９の表示形態にしても、ヒストグラムが画像と同時に表示されている状態であれば良い。なお、図１９の場合、ヒストグラム１０９ｂを表示しないときには、画像１０９ａを表示する領域（表示面積）を広くして表示し、ヒストグラム１０９ｂを表示するときには、画像１０９ａとヒストグラム１０９ｂとを並べて表示するようにすることもできる。
（３）また、上記実施形態では、撮影装置としてカメラを例にして説明したが本発明はこれに限定されない。たとえば、撮影装置はパソコンでレリーズできる構成であってもよく、また、モニタＬＣＤもカメラに設けられている必要はなく、パソコンの画面であってもよい。
【０１２１】
以上、本実施形態によると、以下の効果を有する。
（１）旧タイプのレンズを装着して撮影を行うと、ヒストグラムのオーバーレイ表示の設定をする、しないの設定に関らずヒストグラムのオーバーレイ表示をして撮影後に再生するので、露出の確認を撮影前に確認できない旧タイプのレンズであっても、撮影直後の画像再生時に輝度のヒストグラムにより露出の確認ができる。
（２）旧レンズを装着して撮影した画像を再生する操作を行うと、ヒストグラムのオーバーレイ表示をする、しないの設定に関らず再生画像にヒストグラムのオーバーレイ表示をするので、撮影前に露出確認できない旧タイプのレンズを装着した画像であっても輝度のヒストグラムにより露出の確認ができる。
（３）ヒストグラムボタンの操作により再生画像にオーバーレイ表示されているヒストグラムをオーバーレイ表示しないようにすることができるので、露出確認だけでなく画像の構図やピント確認を容易に行うことができる。
（４）新レンズを装着して撮影を行うと、撮影前にカメラの測光機能により適正露出で撮影できるかどうかを事前に判断することができるため画像で露出確認をしたい場合はヒストグラムのオーバーレイ表示をするように設定できるし、画像で構図確認やピント確認を行いたい場合にはヒストグラムのオーバーレイ表示をしないように設定でき、撮影者の好みに応じて設定することが可能となって使い勝手が良い。
（５）マニュアル露出モードで撮影を行うと、ヒストグラムのオーバーレイ表示の設定をする、しないに関らずヒストグラムをオーバーレイ表示して撮影後に再生するので、手動にて設定したシャッタ速度、絞り値、ＩＳＯ感度などの確認を撮影直後の画像再生時に輝度のヒストグラムにより露出の確認ができる。
（６）マニュアル露出モードで撮影した画像を再生する操作を行うと、ヒストグラムオーバーレイ表示をする、しないの設定に関らず再生画像にヒストグラムのオーバーレイ表示をするので、撮影時にカメラの演算した適正露出に対して手動でシャッタ速度、絞り値、ＩＳＯ感度などを設定した画像の輝度のヒストグラムにより露出の確認ができる。
（７）さらに、ヒストグラムボタンの操作により再生画像にオーバーレイ表示されているヒストグラムのオーバーレイ表示をしないようにできるので、露出確認だけでなく画像の構図やピント確認を容易に行うことができる。
（８）自動露出モードとしてプログラム自動露出モード、シャッタ速度優先自動露出モード、絞り優先自動露出モードなどで撮影を行うと、基本的に露出はカメラ任せにすることができるので、画像で露出確認をしたい場倉はヒストグラムのオーバーレイ表示をするように設定できるし、画像で構図確認やピント確認を行いたい場合にはヒストグラムのオーバーレイ表示をしないように設定でき、撮影者の好みに応じて設定することが可能となって使い勝手が良い。
【図面の簡単な説明】
【０１２２】
【図１】本実施形態による、カメラ、及びカメラに装着される撮影レンズを示した図である。
【図２】本実施形態によるカメラの構成を示すブロック図である。
【図３】カメラの制御回路の動作におけるメインルーチンを示すフローチャートである。
【図４】図３から続くカメラの制御回路の動作におけるメインルーチンを示すフローチャートである。
【図５】レンズ通信のサブルーチンを示すフローチャートである。
【図６】新レンズ装着時の設定処理を示すフローチャートである。
【図７】露出演算を示すフローチャートである。
【図８】図７から続くフローチャートである。
【図９】撮影条件の表示処理を示すフローチャートである。
【図１０】再生処理を示すフローチャートである。
【図１１】図１０から続く再生処理を示すフローチャートである。
【図１２】半押し処理を示すフローチャートである。
【図１３】撮影処理を示すフローチャートである。
【図１４】旧レンズ装着時の設定処理を示すフローチャートである。
【図１５】図３のフローチャートのＳ１５をＳ１５’に変えた変形形態を示したフローチャートである。
【図１６】図１０のフローチャートのＳ１５１をＳ１５１’に変えた変形形態を示したフローチャートである。
【図１７】図１１のフローチャートのＳ１７２をＳ１７２’に変えた変形形態を示したフローチャートである。
【図１８】画像上にヒストグラムを重ねて表示したオーバーレイ表示を示した図である。
【図１９】画像とヒストグラムを別々に表示した状態を示した図である。
【符号の説明】
【０１２３】
１：カメラ、１０１：制御回路、１０２：撮像素子、１０９：モニタＬＣＤ、１１０：露出モード設定装置、１１２：レンズ情報検出装置
【図１】
2009021825.tif 000003
【図２】
2009021825.tif 000004
【図３】
2009021825.tif 000005
【図４】
2009021825.tif 000006
【図５】
2009021825.tif 000007
【図６】
2009021825.tif 000008
【図７】
2009021825.tif 000009
【図８】
2009021825.tif 000010
【図９】
2009021825.tif 000011
【図１０】
2009021825.tif 000012
【図１１】
2009021825.tif 000013
【図１２】
2009021825.tif 000014
【図１３】
2009021825.tif 000015
【図１４】
2009021825.tif 000016
【図１５】
2009021825.tif 000017
【図１６】
2009021825.tif 000018
【図１７】
2009021825.tif 000019
【図１８】
2009021825.tif 000020
【図１９】
2009021825.tif 000021